(57)【要約】【課題】様々な電源異常の状況においても、回路ブロックを正常に動作させ、異常発生後も他の回路に影響を与えることなく、保護機能が働いた回路ブロックのみを正常に復旧する。【解決手段】入力電圧端子ＤＣＩＮが第２しきい値以下の場合、コンパレータＩＣ１の出力端子が”Ｈ”となり、トランジスタＱ１がＯＮし、トランジスタＱ２がＯＦＦして、トランジスタＱ３，Ｑ４がＯＦＦするため、電源電圧出力端子ＶＩＮへの電源供給は行われない。入力電圧端子ＤＣＩＮが第２しきい値以上の場合、コンパレータＩＣ１の出力端子が”Ｌ”となり、トランジスタＱ１がＯＦＦし、トランジスタＱ２がＯＮして、トランジスタＱ３，Ｑ４がＯＮするため、電源電圧出力端子ＶＩＮへの電源供給が行われる。【選択図】図２
2007289522.tif 000002
【特許請求の範囲】
【請求項１】
遊技機の動作を制御する装置に搭載された１の回路ブロックを監視し、その回路ブロックに供給される入力電圧が第１しきい値電圧以下になると働く保護機能を有する集積回路に対して電源電圧を供給するように構成され、
前記入力電圧が前記第１しきい値電圧よりも高く設定された第２しきい値電圧以下であるかどうかを検出する監視回路部と、
前記監視回路部により前記入力電圧が前記第２しきい値電圧以上であることが検出されたときは前記集積回路に前記電源電圧を供給し、前記監視回路部により前記入力電圧が前記第２しきい値電圧以下であることが検出されたときは前記集積回路への前記電源電圧の供給を遮断する遮断回路部と
を有することを特徴とする遊技機用入力電圧監視回路。
【請求項２】
前記回路ブロックは、遊技機の液晶表示制御装置を構成する液晶インバータ基板に設けられたインバータ回路であり、
前記集積回路は、前記インバータ回路を駆動制御するとともに前記インバータ回路の出力電圧を監視し、前記入力電圧が前記第１しきい値電圧以下になることに伴って前記出力電圧が所定しきい値以下に低下すると前記インバータ回路の駆動制御を停止する出力電圧低下保護機能を有しており、前記監視回路部により前記入力電圧が前記第２しきい値電圧以下であることを検出したときは、前記遮断回路部が前記集積回路への前記電源電圧の供給を遮断することで前記集積回路の前記出力電圧低下保護機能を働かせることなく前記インバータ回路の駆動制御を停止し、前記入力電圧が前記第２しきい値電圧以上であることを検出したときは前記集積回路への前記電源電圧の供給を再開することで前記出力電圧低下保護機能を働かせることなく前記インバータ回路の駆動制御を再開する請求項１記載の遊技機用入力電圧監視回路。
【発明の詳細な説明】
【技術分野】
【０００１】
本発明は遊技機用入力電圧監視回路に関し、特にパチンコ遊技機，スロットマシン等の遊技機の回路ブロックに対する入力電圧監視回路に関する。
【背景技術】
【０００２】
従来、遊技機には、主制御回路を構成する主制御基板、表示などを制御する表示制御回路を構成する表示制御基板、液晶表示装置のバックライトとして冷陰極管を点灯するための液晶インバータ基板、各電子部品や各基板に必要な電圧の電源を供給する電源基板など様々な基板が設けられており、電気的に接続されている（例えば、特許文献１段落００５９参照）。これらの基板に設けられた様々な回路は、各基板間あるいは各基板内で電源や通信のやり取りを行い、遊技機としての動作を制御している。
【０００３】
ところで、遊技機に設けられた各回路は遊技機の正常な動作を制御しているだけでなく、遊技機で発生する異常状態を検知して速やかに正常状態に復旧する、あるいは異常状態であることを報知するなどの危険な状態を回避するための様々な対策が組み込まれている。例えば、遊技機の液晶表示制御装置を構成する液晶インバータ基板では、インバータ回路を駆動制御するとともにインバータ回路の出力電圧を監視し、インバータ回路への入力電圧の低下に伴ってインバータ回路の出力電圧があるしきい値以下に低下した場合に保護機能が働き、インバータ回路の駆動制御を停止する出力電圧低下保護機能を有する電源系の集積回路（ＩＣ：Integrated Circuit）を使用することがある（非特許文献１参照）。なお、出力電圧低下保護機能は、ＩＣへの電源電圧をゼロにすることで解除される。
【０００４】
【特許文献１】特開２００６−８７５５１号公報
【非特許文献１】FAN7311LCD Backlight Inverter Drive IC, [online], FAIRCHILD SEMICONDUCTOR, 2006,[FAN7311 Rev.1.0.2], Retrieved from the Internet: <URL: http://www.fairchildsemi.com/sitesearch/fsc.jsp?command=eq&attr1=AAAFamily&attr2=CCFL+Backlight+IC>.
【発明の開示】
【発明が解決しようとする課題】
【０００５】
入力電圧の低下には様々な原因が存在し、例えば機器の故障や異常な瞬時停電が起きた場合などが考えられる。遊技店において営業中に機器が故障する頻度はかなり稀であるが、遊技店では遊技玉を研磨する機械などが常に作動しているため静電気が発生しやすい環境であることは周知であり、瞬時停電が発生する頻度はかなり高い。瞬時停電が発生した場合、入力電圧が一瞬低下してすぐに復旧すると考えられるが、この低下した入力電圧が完全にゼロになることなく、中間電位となるケースも存在する可能性がある。このようなケースでは、あるしきい値電圧以下の入力電圧の低下が起きた時点でＩＣの保護機能が働いて回路ブロックの駆動制御を停止するが、その後、正常な入力電圧に復帰しても、ＩＣの保護機能が働いたままで回路ブロックの駆動制御が正常に復帰しないという問題が発生することがあった。すなわち、回路ブロックへの電源において電圧低下等の異常状態が起きた場合、その異常電圧が発生したことにより回路ブロックへの保護機能が働いて回路ブロックの駆動制御を停止し、電源の復帰後も回路ブロックの駆動制御が停止したままとなることがある。特に、遊技機で使用する液晶表示器のバックライトを点灯する液晶インバータ基板で、上記のような事態が生じた場合には、バックライトが点灯せず液晶表示器が見えずに遊技を継続できない状況になる恐れがある。
【０００６】
一般機器においては、電源異常が生じて機能を停止しても、再度電源投入を行うことで正常復帰できればよい場合もある。もちろん、遊技機の大元の電源回路を一旦ＯＦＦすることによって、回路ブロックへの保護機能を解除し、回路ブロックの駆動制御を復旧させることは可能であるが、遊技機には、その他の回路の電源供給を遮断することができない事情があり、大元の電源回路をＯＦＦすることができない場合がある。詳しくは、遊技機用の制御回路では、遊技中の抽選情報や払出情報などがメモリ上に記憶され、電源を落とすことができない状態である。このような状態で、液晶表示制御装置上のバックライト用の液晶インバータ基板などの回路ブロックへの入力電圧が瞬時停電などにより一瞬低下し、回路ブロックへの保護機能が働いて回路ブロックの駆動制御が停止してしまった場合、この保護機能を解除するために遊技機の大元の電源回路をＯＦＦしてしまうと、遊技中の情報も消えてしまうという問題があった。また、遊技機の大元の電源回路をＯＦＦしても一定時間はメモリ上に記憶された遊技中の抽選情報や払出情報が消えてしまわないようにバッテリーなどを遊技機に搭載していたとしても、瞬時停電が発生するたびに液晶表示器のバックライトが消えてしまい従業員がくるまで復旧できないのでは遊技に支障をきたす恐れがあり、場合によっては賠償問題にもなりかねない。
【０００７】
本発明の目的は、上述の点に鑑み、遊技機の動作を制御する装置に搭載された回路ブロックへの保護機能を有する集積回路に対して電源供給を遮断する回路を付加することで、様々な電源異常の状況においても、回路ブロックを正常に動作させ、異常発生後も他の回路に影響を与えることなく、保護機能が働く回路ブロックを正常に復旧できるようにした遊技機用入力電圧監視回路を提供することにある。
【課題を解決するための手段および発明の効果】
【０００８】
請求項１に記載の遊技機用入力電圧監視回路は、遊技機の動作を制御する装置に搭載された１の回路ブロックを監視し、その回路ブロックに供給される入力電圧が第１しきい値電圧以下になると働く保護機能を有する集積回路に対して電源電圧を供給するように構成され、前記入力電圧が前記第１しきい値電圧よりも高く設定された第２しきい値電圧以下であるかどうかを検出する監視回路部と、前記監視回路部により前記入力電圧が前記第２しきい値電圧以上であることが検出されたときは前記集積回路に前記電源電圧を供給し、前記監視回路部により前記入力電圧が前記第２しきい値電圧以下であることが検出されたときは前記集積回路への前記電源電圧の供給を遮断する遮断回路部とを有することを特徴とする。請求項１に記載の遊技機用入力電圧監視回路によれば、集積回路の保護機能が働く入力電圧の第１しきい値電圧よりも高い第２しきい値電圧を設定し、入力電圧が第２しきい値電圧以下になった場合に保護機能を有する集積回路に対する電源供給を遮断することが可能な回路を提供することで、瞬時停電などにより入力電圧が第１しきい値電圧以下まで低下した後すぐに正常な電圧に復旧したときに、他の回路に影響を与えることなく、保護機能が働く回路ブロックを正常に復旧することができる。また、監視回路部の第２しきい値電圧のみを変化することで、様々な第１しきい値電圧にて保護機能が働く他の回路ブロックにも対応することが可能になる。
【０００９】
請求項２に記載の遊技機用入力電圧監視回路は、請求項１に記載の遊技機用入力電圧監視回路において、前記回路ブロックは、遊技機の液晶表示制御装置を構成する液晶インバータ基板に設けられたインバータ回路であり、前記集積回路は、前記インバータ回路を駆動制御するとともに前記インバータ回路の出力電圧を監視し、前記入力電圧が前記第１しきい値電圧以下になることに伴って前記出力電圧が所定しきい値以下に低下すると前記インバータ回路の駆動制御を停止する出力電圧低下保護機能を有しており、前記監視回路部により前記入力電圧が前記第２しきい値電圧以下であることを検出したときは、前記遮断回路部が前記集積回路への前記電源電圧の供給を遮断することで前記集積回路の前記出力電圧低下保護機能を働かせることなく前記インバータ回路の駆動制御を停止し、前記入力電圧が前記第２しきい値電圧以上であることを検出したときは前記集積回路への前記電源電圧の供給を再開することで前記出力電圧低下保護機能を働かせることなく前記インバータ回路の駆動制御を再開することを特徴とする。請求項２に記載の遊技機用入力電圧監視回路によれば、出力電圧低下保護機能が働くインバータ回路への入力電圧の第１しきい値電圧よりも高い第２しきい値電圧を設定し、入力電圧が第２しきい値電圧以下になった場合に出力電圧低下保護機能を有する集積回路に対する電源供給を遮断することが可能な回路を提供することで、瞬時停電などにより入力電圧が第１しきい値電圧以下まで低下した後すぐに正常な電圧に復旧したときに、他の回路に影響を与えることなく、出力電圧低下保護機能が働くインバータ回路を正常に復旧することができる。
【発明を実施するための最良の形態】
【００１０】
遊技機において瞬時停電など様々な電源異常の状況が発生しても、遊技機を構成する各種回路ブロックを正常に動作させ、電源復旧後すみやかに本来保護機能が働いてしまう回路ブロックも正常に復旧させるという目的を、保護機能を有する集積回路に対して電源供給を遮断する遊技機用入力電圧監視回路を付加することにより達成した。
【００１１】
以下、本発明の実施の形態について、図面を参照して説明する。
【実施例１】
【００１２】
図１は、本発明の実施例１に係る遊技機用入力電圧監視回路（以下、適宜、入力電圧監視回路と表記する）２０を配設する遊技機の回路ブロック図である。この遊技機は、ＡＣ（Alternative Current）２４Ｖを発生する主電源１と、主電源１からＡＣ２４Ｖを受けて各種のＤＣ（Direct Current）電圧を発生する電源基板２と、電源基板２から電源電圧の供給を受けて遊技機の制御を行う主基板３と、電源基板２からＤＣ３２Ｖの電源電圧の供給を受けるとともに主基板３から画像制御コマンドを受けて画像の表示を行う液晶表示制御装置４とを含んで構成されている。
【００１３】
主基板３は、遊技機の制御主体となるＣＰＵ（Central Processing Unit）３１と、ＣＰＵ３１が動作するプログラムおよびデータを格納するＲＯＭ（Read Only Memory）３２と、ＣＰＵ３１がプログラムおよびデータをロードするＲＡＭ（Random Access Memory）３３とを含んで構成されている。
【００１４】
液晶表示制御装置４は、例えば、パチンコ遊技機の特別図柄（特図）を表示する図柄表示部として用いられるものであり、表示制御基板１０と、実施例１に係る入力電圧監視回路２０と、出力電圧低下保護機能付きの液晶インバータ基板４０と、カラー液晶パネルでなる液晶表示器５０とを含んで構成されている。
【００１５】
表示制御基板１０は、ＣＰＵ（サブＣＰＵ）１０１と、ＲＯＭ（プログラムＲＯＭ）１０２と、ＶＤＰ（Video Display Processor）１０３と、ＲＯＭ（キャラクタＲＯＭ）１０４と、ＲＡＭ（パレットＲＡＭ）１０５とを含んで構成されている。サブＣＰＵ１０１は、主基板３（ＣＰＵ３１）から受信した画像制御コマンドの内容をプログラムＲＯＭ１０２に記録されたプログラムに従って解析し、解析結果をＶＤＰ１０３に送出する。ＶＤＰ１０３は、表示内容に対応した図柄やキャラクタなどが記録されたキャラクタＲＯＭ１０４から解析結果に対応した図柄やキャラクタなどを読み出すとともに、読み出した図柄やキャラクタなどのドットのアドレス，表示色，回転，拡大および縮小などを解析結果に基づいて演算し、演算結果をパレットＲＡＭ１０５に一時的に格納する。続いて、ＶＤＰ１０３は、パレットＲＡＭ１０５に一時的に格納されている演算結果に基づいてＲＧＢ信号を液晶表示器５０に送出する。
【００１６】
液晶インバータ基板４０は、液晶表示器５０に備えられた冷陰極管５１を点灯するバックライト電源の役割を果たし、出力電圧低下保護機能を有する電源系のＩＣ４１（図４におけるＩＣ４１参照、本発明の集積回路に相当）と、冷陰極管５１に電源電圧を供給するインバータ回路４２（本発明の回路ブロックに相当）とが設けられている。インバータ回路４２と、入力電圧監視回路２０には表示制御基板１０から共通の入力電圧が供給されており、ＩＣ４１には入力電圧監視回路２０から電源電圧が供給されている。このＩＣ４１は、表示制御基板１０からインバータ回路４２に供給される入力電圧を駆動制御することでインバータ回路４２の出力電圧を一定に制御する（図４におけるＩＣ４１のＯＵＴＡ，ＯＵＴＢ，ＯＴＵＣ，ＯＵＴＤによる制御）とともに、インバータ回路４２から出力される出力電圧（図４における端子ＦＢの電圧）を監視しており、インバータ回路４２から出力される出力電圧が所定しきい値電圧以下になると、インバータ回路４２の駆動制御を停止する出力電圧低下保護機能を有している。インバータ回路４２に供給される入力電圧が低下すると、インバータ回路４２から出力される出力電圧も低下するため、インバータ回路４２に供給される入力電圧がＩＣ４１の出力電圧低下保護機能が働く電圧（以下、第１しきい値電圧という）以下になると、出力電圧低下保護機能が働いてインバータ回路４２の駆動制御を停止する。液晶インバータ基板４０の第１しきい値電圧は、例えばＤＣ１２Ｖである（図３参照）。なお、ＩＣ４１の出力電圧低下保護機能は、一旦作動するとＩＣ４１をリセット（電源電圧をゼロ）にしないと解除されない。
【００１７】
図２は、入力電圧監視回路２０をさらに詳細に示す回路図である。入力電圧監視回路２０は、入力電圧端子ＤＣＩＮ，オン／オフ信号端子ＯＮ／ＯＦＦ，および接地端子ＧＮＤを備えるコネクタＣＮ１と、入力電圧端子ＤＣＩＮと接地との間にヒューズＦを介して接続された抵抗Ｒ１とツェナーダイオードＤ１との直列接続と、抵抗Ｒ１とツェナーダイオードＤ１との直列接続に並列に接続された抵抗Ｒ２と抵抗Ｒ３との直列接続と、抵抗Ｒ１とツェナーダイオードＤ１との接続点が基準電圧端子（＋）に接続され、抵抗Ｒ２と抵抗Ｒ３との接続点が比較電圧端子（−）に接続されたコンパレータＩＣ１と、コンパレータＩＣ１の出力端子と比較電圧端子（−）との間に介挿された抵抗Ｒ４と、コンパレータＩＣ１の出力端子にベースが接続され、エミッタが接地され、コレクタがオン／オフ信号端子ＯＮ／ＯＦＦに接続されたＮＰＮトランジスタＱ１と、ＮＰＮトランジスタＱ１のコレクタと接地との間に介挿された抵抗Ｒ５と、ヒューズＦの一端とＮＰＮトランジスタＱ１のコレクタとの間に接続された抵抗Ｒ６と、ＮＰＮトランジスタＱ１のコレクタにベースが接続され、エミッタが接地されたＮＰＮトランジスタＱ２と、ＮＰＮトランジスタＱ２のコレクタがベースに接続され、エミッタが抵抗Ｒ７を介してヒューズＦの一端に接続されたＰＮＰトランジスタＱ３と、ＰＮＰトランジスタＱ３のコレクタに抵抗Ｒ８を介してベースが接続され、コレクタが抵抗Ｒ９を介してヒューズＦの一端に接続されたＮＰＮトランジスタＱ４と、ＮＰＮトランジスタＱ４のベースと接地との間に介挿されたツェナーダイオードＤ２と、ＮＰＮトランジスタＱ４のエミッタと接地との間に介挿されたツェナーダイオードＤ３と、ＮＰＮトランジスタＱ４のエミッタに接続された電源電圧出力端子ＶＩＮとから構成されている。なお、電源電圧出力端子ＶＩＮは、液晶インバータ基板４０に設けられた出力電圧低下保護機能を有するＩＣ４１の電源電圧入力端子でもある。また、図２中、破線で囲われた部分が、入力電圧が第１しきい値電圧よりも高く設定された電圧（以下、第２しきい値電圧という）以下であるかどうかを検出する監視回路部であり、それ以外の部分が、監視回路部により入力電圧が第２しきい値電圧以上であることが検出されたときに入力電圧に由来する電源電圧を液晶インバータ基板４０に設けられたＩＣ４１に供給し、監視回路部により入力電圧が第２しきい値電圧以下であることが検出されたときにＩＣ４１への電源電圧の供給を遮断する遮断回路部である。入力電圧監視回路２０の第２しきい値電圧は、例えばＤＣ２０Ｖである（図３参照）。
【００１８】
入力電圧端子ＤＣＩＮには、通常時は、表示制御基板１０からＤＣ３２Ｖの入力電圧が供給されている。また、オン／オフ信号端子ＯＮ／ＯＦＦには、表示制御基板１０から電源供給オン／オフ信号が供給されている。電源供給オン／オフ信号がＯＮ（“Ｌ”）であれば、ＮＰＮトランジスタＱ２がＯＮし、ＰＮＰトランジスタＱ３およびＮＰＮトランジスタＱ４がＯＮする。この結果、入力電圧端子ＤＣＩＮに供給されている入力電圧に由来する電源電圧が電源電圧出力端子ＶＩＮに出力されて、ＩＣ４１への電源供給が行われる。また、電源供給オン／オフ信号がＯＦＦ（“Ｈ”）であれば、ＮＰＮトランジスタＱ２がＯＦＦし、ＰＮＰトランジスタＱ３およびＮＰＮトランジスタＱ４がＯＦＦする。この結果、入力電圧端子ＤＣＩＮに供給されている入力電圧に由来する電源電圧が電源電圧出力端子ＶＩＮに出力されず、ＩＣ４１への電源供給が行われない。接地端子ＧＮＤは、接地されている。
【００１９】
ツェナーダイオードＤ１は、入力電圧端子ＤＣＩＮに供給されている入力電圧から一定の基準電圧を生成する役目をする。この基準電圧は、入力電圧端子ＤＣＩＮに供給されている入力電圧が、例えばＤＣ２０Ｖである第２しきい値電圧に低下したときに、抵抗Ｒ２と抵抗Ｒ３との接続点に発生する電圧値と一致するように設定されている。
【００２０】
コンパレータＩＣ１は、比較電圧端子（−）の電圧を基準電圧端子（＋）の基準電圧と比較し、比較電圧端子（−）の電圧が基準電圧端子（＋）の基準電圧より高ければ出力端子を“Ｈ”とし、比較電圧端子（−）の電圧が基準電圧端子（＋）の基準電圧より低ければ出力端子を“Ｌ”とする。
【００２１】
ＮＰＮトランジスタＱ１は、コンパレータＩＣ１の出力端子が“Ｈ”であるか“Ｌ”であるかに応じてＯＮまたはＯＦＦし、ＮＰＮトランジスタＱ２，ＰＮＰトランジスタＱ３およびＮＰＮトランジスタＱ４をＯＮまたはＯＦＦする役目をする。
【００２２】
ツェナーダイオードＤ２は、ＰＮＰトランジスタＱ３のＯＮ時に入力電圧端子ＤＣＩＮから供給された入力電圧を抵抗Ｒ７，ＰＮＰトランジスタＱ３，抵抗Ｒ８を介してアノードに印加され、これによってアノードに発生するツェナー電圧より若干（ＮＰＮトランジスタＱ４の電圧降下分）低い電圧を電源電圧として電源電圧出力端子ＶＩＮから出力する役目をする。
【００２３】
ツェナーダイオードＤ３は、電源電圧出力端子ＶＩＮから出力される電源電圧に何かしらの異常な電圧が発生した場合の保護素子である。
【００２４】
図３は、入力電圧監視回路２０が電源供給を遮断する第２しきい値電圧と、液晶インバータ基板４０の出力電圧低下保護機能が働く第１しきい値電圧との関係を説明する図である。入力電圧が、例えばＤＣ２０Ｖの第２しきい値電圧以下に低下すると、入力電圧監視回路２０は、インバータ回路４２への入力電圧が例えばＤＣ１２Ｖの第１しきい値電圧まで低下してインバータ回路４２の出力電圧が所定しきい値電圧以下となりＩＣ４１の出力電圧低下保護機能が働くよりも先に、ＩＣ４１への電源供給を遮断する。例えば異常な瞬時停電が起きた場合であっても、出力電圧低下保護機能が働くよりも先にＩＣ４１への電源供給を遮断するため、出力電圧低下保護機能が働くことなくインバータ回路４２の駆動制御が停止し、液晶インバータ基板４０は完全に停止する。その後、入力電圧が、例えばＤＣ２０Ｖの第２しきい値電圧以上に復帰すると、入力電圧監視回路２０は、ＩＣ４１への電源供給を再開する。これにより、インバータ回路４２の駆動制御が再開され、液晶インバータ基板４０は、出力電圧低下保護機能が働いていないリセット状態で動作を再開する。なお、第２しきい値電圧付近での頻繁な電源供給の遮断／再開の繰り返しをさけるために、電源供給の再開時のしきい値電圧として、第２しきい値電圧に対して所定のマージンを上乗せした第３しきい値電圧を使用するようにしてもよい。
【００２５】
次に、このように構成された実施例１に係る入力電圧監視回路２０の動作について、遊技機の動作とともに、図１ないし図３を参照しながら説明する。
【００２６】
（１）  入力電圧端子ＤＣＩＮが第２しきい値電圧であるＤＣ２０Ｖ以下になった場合
【００２７】
通常はＤＣ３２Ｖである入力電圧端子ＤＣＩＮの電圧が第２しきい値電圧であるＤＣ２０Ｖ以下に低下すると、入力電圧監視回路２０では、コンパレータＩＣ１の比較電圧端子（−）の電圧、すなわち入力電圧の抵抗Ｒ２と抵抗Ｒ３とでの分圧電圧が、コンパレータＩＣ１の基準電圧端子（＋）の電圧、すなわちツェナーダイオードＤ１のアノードに発生するツェナー電圧よりも低くなるため、コンパレータＩＣ１の出力端子は“Ｈ”となる。このため、ＮＰＮトランジスタＱ１がＯＮし、ＮＰＮトランジスタＱ２がＯＦＦして、ＰＮＰトランジスタＱ３およびＮＰＮトランジスタＱ４がＯＦＦする。この結果、電源電圧出力端子ＶＩＮへの電源供給は遮断され、液晶インバータ基板４０に設けられたＩＣ４１への電源供給が遮断されるので、インバータ回路４２の駆動制御は停止する。例えば異常な瞬時停電となった場合に、出力電圧低下保護機能が働くことはなく、液晶インバータ基板４０は完全に停止する。
【００２８】
（２）  入力電圧端子ＤＣＩＮが第２しきい値電圧であるＤＣ２０Ｖ以上になった場合
【００２９】
入力電圧端子ＤＣＩＮの電圧が第２しきい値電圧であるＤＣ２０Ｖ以上に復帰すると、入力電圧監視回路２０では、コンパレータＩＣ１の比較電圧端子（−）の電圧、すなわち入力電圧の抵抗Ｒ２と抵抗Ｒ３とでの分圧電圧が、コンパレータＩＣ１の基準電圧端子（＋）の電圧、すなわちツェナーダイオードＤ１のアノードに発生するツェナー電圧よりも高くなるため、コンパレータＩＣ１の出力端子は“Ｌ”となる。このため、ＮＰＮトランジスタＱ１がＯＦＦし、ＮＰＮトランジスタＱ２がＯＮして、ＰＮＰトランジスタＱ３およびＮＰＮトランジスタＱ４がＯＮする。この結果、ツェナーダイオードＤ２のアノードに発生するツェナー電圧より若干（ＮＰＮトランジスタＱ４の電圧降下分）低い電圧が電源電圧として電源電圧出力端子ＶＩＮから出力され、液晶インバータ基板４０に設けられたＩＣ４１への電源供給が再開される。これにより、ＩＣ４１は、出力電圧低下保護機能が働いていないリセット状態で動作を再開し、インバータ回路４２の駆動制御も再開されるので、液晶インバータ基板４０は完全に復旧する。
【００３０】
（３）  インバータ回路４２の出力電圧が所定しきい値以下になった場合
【００３１】
入力電圧端子ＤＣＩＮの電圧が第２しきい値電圧であるＤＣ２０Ｖ以上であるときに、冷陰極管５１などの機器の故障によりインバータ回路４２から出力される出力電圧が所定しきい値以下になったことをＩＣ４２が検知すると、ＩＣ４２の出力電圧低下保護機能が働きインバータ回路４２の駆動制御が停止する。このため、液晶インバータ基板４０は完全に停止し、その後、遊技機の大元の電源をＯＦＦするなどしてＩＣ４２をリセットしないと出力電圧低下保護機能は解除されない。例えば、冷陰極管５１の接続不良などにより、実際に出力低下保護機能が働いた場合、冷陰極管５１などの機器の修理が必要となるため、大元の電源をＯＦＦすることになるはずである。なお、入力で電圧端子ＤＣＩＮの電圧が第２しきい値電圧であるＤＣ２０Ｖ以下に低下しているときは、ＩＣ４２への電源電圧の供給が遮断されているため、出力電圧低下保護機能が働くことはない。
【００３２】
実施例１によれば、出力電圧低下保護機能が働くインバータ回路４２への入力電圧の第１しきい値電圧よりも高い第２しきい値電圧を設定し、入力電圧が第２しきい値電圧以下になった場合に出力電圧低下保護機能を有する集積回路に対する電源供給を遮断することが可能な回路を提供することで、瞬時停電などにより入力電圧が第１しきい値電圧以下まで低下した後すぐに正常な電圧に復旧したときに、他の回路に影響を与えることなく、出力電圧低下保護機能が働くインバータ回路４２を正常に復旧することができる。特に、遊技機において、出力電圧低下保護機能を有する液晶インバータ基板４０の動作異常の対策として、簡易でかつ確実に行う入力電圧監視回路２０は有効である。
【００３３】
なお、上記実施例１では、入力電圧監視回路２０を液晶インバータ基板４０の前段に別体として付加するようにしたが、入力電圧監視回路２０をあらかじめ液晶インバータ基板４０の内部に組み込むようにしてもよい。
【００３４】
図４は、液晶インバータ基板４０の具体例を示す回路図（非特許文献１第９頁からの引用）である。この液晶インバータ基板４０は、すでに公知のものであるので、その構成および動作の詳しい説明は割愛するが、本発明に関連する箇所について簡単に説明する。液晶インバータ基板４０は、コネクタＣＮ２によって表示制御基板１０に接続されるとともに、コネクタＣＮ３〜ＣＮ６によって冷陰極管５１に接続されて使用される。冷陰極管５１の電圧、すなわちインバータ回路４２の出力電圧がコネクタＣＮ３〜ＣＮ６を通じてＩＣ４１の端子ＥＡ＿ＩＮおよび端子ＥＡ＿ＯＵＴに供給され、ＩＣ４１は、冷陰極管５１の電圧、すなわちインバータ回路４２の出力電圧の監視を行う。そして、ＩＣ４１は、監視結果に基づいて、端子ＯＵＴＡ，ＯＵＴＢ，ＯＵＴＣ，ＯＵＴＤに制御電圧を出力し、デュアルＮ＆ＰチャネルＭＯＳＦＥＴ（Metal Oxide Semiconductor Field Effect Transistor）４３，４４，トランス４５，４６等からなるインバータ回路４２を駆動制御して、冷陰極管５１を一定の出力電圧で点灯制御する。ＩＣ４１は、出力電圧低下保護機能を有し、監視結果が異常であると、すなわちインバータ回路４２の出力電圧が第１しきい値電圧以下になると、インバータ回路４２の駆動制御を停止することにより、冷陰極管５１を消灯する。このような液晶インバータ基板４０に、本発明の入力電圧監視回路２０を組み込む場合には、表示制御基板１０に接続されるコネクタＣＮ２からＩＣ４１の端子ＶＩＮに至るラインに入力電圧監視回路２０を介挿し、入力電圧監視回路２０にコネクタＣＮ２のオン／オフ信号端子ＯＮ／ＯＦＦからの信号を入力するとともに、入力電圧監視回路２０を接地するようにすればよい。
【００３５】
また、実施例１では、出力電圧低下保護機能を有する集積回路を液晶インバータ基板４０のＩＣ４１とし、出力電圧低下保護機能が働く回路ブロックを液晶インバータ基板４０のインバータ回路４２としたが、集積回路と回路ブロックの組み合わせはこれに限られるものではなく、遊技機で用いられる各種の集積回路と回路ブロックの組み合わせに対して本発明が同様に適用できることはいうまでもない。さらに、実施例１では、保護機能を出力電圧低下保護機能として説明したが、遊技機の性能を保つための各種保護機能を採用できることは言うまでもない。例えば、過電圧保護機能，過電流保護機能，短絡保護機能等が考えられる。
【００３６】
以上、本発明の実施例を説明したが、これはあくまでも例示にすぎず、本発明はこれに限定されるものではなく、特許請求の範囲の趣旨を逸脱しない限りにおいて、当業者の知識に基づく種々の変更が可能である。
【図面の簡単な説明】
【００３７】
【図１】本発明の実施例１に係る遊技機用入力電圧監視回路を配設する遊技機の回路ブロック図。
【図２】実施例１に係る遊技機用入力電圧監視回路の回路図。
【図３】第１しきい値電圧と第２しきい値電圧との関係を説明する図。
【図４】液晶インバータ基板を詳細に例示する回路図。
【符号の説明】
【００３８】
１  主電源
２  電源基板
３  主基板
４  液晶表示制御装置
１０  表示制御基板
２０  遊技機用入力電圧監視回路
４０  液晶インバータ基板
４１  ＩＣ（集積回路）
４２  インバータ回路（回路ブロック）
５０  液晶表示器
５１  冷陰極管
ＣＮ１  コネクタ
Ｄ１  ツェナーダイオード（監視回路部）
Ｄ２，Ｄ３  ツェナーダイオード（遮断回路部）
ＤＣＩＮ  入力電圧端子
Ｆ  ヒューズ
ＩＣ１  コンパレータ（監視回路部）
ＧＮＤ  接地端子
ＯＮ／ＯＦＦ  オン／オフ信号端子
Ｑ１  ＮＰＮトランジスタ（監視回路部）
Ｑ２，Ｑ４  ＮＰＮトランジスタ（遮断回路部）
Ｑ３  ＰＮＰトランジスタ（遮断回路部）
Ｒ１〜Ｒ９  抵抗
ＶＩＮ  電源電圧出力端子
【図１】
2007289522.tif 000003
【図２】
2007289522.tif 000004
【図３】
2007289522.tif 000005
【図４】
2007289522.tif 000006
【手続補正書】
【提出日】平成18年11月23日(2006.11.23)
【手続補正１】
【補正対象書類名】特許請求の範囲
【補正対象項目名】全文
【補正方法】変更
【補正の内容】
【特許請求の範囲】
【請求項１】
遊技機に設けられ遊技機の動作を制御する装置に搭載された１の回路ブロックを駆動制御し、その回路ブロックに供給される入力電圧が第１しきい値電圧以下になると作動してその回路ブロックの駆動制御を停止するとともに、自身への電源電圧の供給が遮断されると解除する保護機能を有する集積回路に対して前記電源電圧を供給するように構成され、
前記入力電圧が前記第１しきい値電圧よりも高く設定された第２しきい値電圧以下であるかどうかを検出する監視回路部と、
前記監視回路部により前記入力電圧が前記第２しきい値電圧以上であることが検出されたときは前記集積回路に前記電源電圧を供給し、前記監視回路部により前記入力電圧が前記第２しきい値電圧以下であることが検出されたときは前記集積回路への前記電源電圧の供給を遮断する遮断回路部と、を備え、
前記入力電圧が前記第２しきい値電圧まで低下したときは、前記集積回路への電源電圧の供給を遮断することで前記保護機能が働くより先に前記回路ブロックの駆動制御を停止し、その後、前記入力電圧が前記第２しきい値電圧以上に復帰したときは、前記集積回路への電源電圧の供給を再開することで前記保護機能を働かせることなく前記回路ブロックの駆動制御を再開することを特徴とする遊技機用入力電圧監視回路。
【請求項２】
遊技機の液晶表示制御装置を構成する液晶インバータ基板に設けられたインバータ回路を駆動制御するとともにそのインバータ回路の出力電圧を監視し、前記インバータ回路に供給される入力電圧が第１しきい値電圧まで低下すると前記出力電圧が所定しきい値電圧以下となり前記インバータ回路の駆動制御を停止するとともに、自身への電源電圧の供給が遮断されると解除する出力電圧低下保護機能を有する集積回路に対して前記電源電圧を供給するように構成され、
前記入力電圧が前記第１しきい値電圧よりも高く設定された第２しきい値電圧以下であるかどうかを検出する監視回路部と、
前記監視回路部により前記入力電圧が前記第２しきい値電圧以上であることが検出されたときは前記集積回路に前記電源電圧を供給し、前記監視回路部により前記入力電圧が前記第２しきい値電圧以下であることが検出されたときは前記集積回路への前記電源電圧の供給を遮断する遮断回路部と、を備え、
前記入力電圧が前記第２しきい値電圧まで低下したときは、前記集積回路への電源電圧の供給を遮断することで前記出力電圧低下保護機能を働かせることなく前記インバータ回路の駆動制御を停止し、その後、前記入力電圧が第２しきい値電圧以上に復帰したときは、前記集積回路への電源電圧の供給を再開することで前記出力電圧低下保護機能を働かせることなく前記インバータ回路の駆動制御を再開することを特徴とする遊技機用入力電圧監視回路。
【手続補正２】
【補正対象書類名】明細書
【補正対象項目名】０００８
【補正方法】変更
【補正の内容】
【０００８】
請求項１に記載の遊技機用入力電圧監視回路は、遊技機に設けられ遊技機の動作を制御する装置に搭載された１の回路ブロックを駆動制御し、その回路ブロックに供給される入力電圧が第１しきい値電圧以下になると作動してその回路ブロックの駆動制御を停止するとともに、自身への電源電圧の供給が遮断されると解除する保護機能を有する集積回路に対して前記電源電圧を供給するように構成され、前記入力電圧が前記第１しきい値電圧よりも高く設定された第２しきい値電圧以下であるかどうかを検出する監視回路部と、前記監視回路部により前記入力電圧が前記第２しきい値電圧以上であることが検出されたときは前記集積回路に前記電源電圧を供給し、前記監視回路部により前記入力電圧が前記第２しきい値電圧以下であることが検出されたときは前記集積回路への前記電源電圧の供給を遮断する遮断回路部と、を備え、前記入力電圧が前記第２しきい値電圧まで低下したときは、前記集積回路への電源電圧の供給を遮断することで前記保護機能が働くより先に前記回路ブロックの駆動制御を停止し、その後、前記入力電圧が前記第２しきい値電圧以上に復帰したときは、前記集積回路への電源電圧の供給を再開することで前記保護機能を働かせることなく前記回路ブロックの駆動制御を再開することを特徴とする。請求項１に記載の遊技機用入力電圧監視回路によれば、集積回路の保護機能が働く入力電圧の第１しきい値電圧よりも高い第２しきい値電圧を設定し、入力電圧が第２しきい値電圧以下になった場合に保護機能を有する集積回路に対する電源供給を遮断することが可能な回路を提供することで、瞬時停電などにより入力電圧が第１しきい値電圧以下まで低下した後すぐに正常な電圧に復旧したときに、他の回路に影響を与えることなく、保護機能が働く回路ブロックを正常に復旧することができる。また、監視回路部の第２しきい値電圧のみを変化することで、様々な第１しきい値電圧にて保護機能が働く他の回路ブロックにも対応することが可能になる。
【手続補正３】
【補正対象書類名】明細書
【補正対象項目名】０００９
【補正方法】変更
【補正の内容】
【０００９】
請求項２に記載の遊技機用入力電圧監視回路は、遊技機の液晶表示制御装置を構成する液晶インバータ基板に設けられたインバータ回路を駆動制御するとともにそのインバータ回路の出力電圧を監視し、前記インバータ回路に供給される入力電圧が第１しきい値電圧まで低下すると前記出力電圧が所定しきい値電圧以下となり前記インバータ回路の駆動制御を停止するとともに、自身への電源電圧の供給が遮断されると解除する出力電圧低下保護機能を有する集積回路に対して前記電源電圧を供給するように構成され、前記入力電圧が前記第１しきい値電圧よりも高く設定された第２しきい値電圧以下であるかどうかを検出する監視回路部と、前記監視回路部により前記入力電圧が前記第２しきい値電圧以上であることが検出されたときは前記集積回路に前記電源電圧を供給し、前記監視回路部により前記入力電圧が前記第２しきい値電圧以下であることが検出されたときは前記集積回路への前記電源電圧の供給を遮断する遮断回路部と、を備え、前記入力電圧が前記第２しきい値電圧まで低下したときは、前記集積回路への電源電圧の供給を遮断することで前記出力電圧低下保護機能を働かせることなく前記インバータ回路の駆動制御を停止し、その後、前記入力電圧が第２しきい値電圧以上に復帰したときは、前記集積回路への電源電圧の供給を再開することで前記出力電圧低下保護機能を働かせることなく前記インバータ回路の駆動制御を再開することを特徴とする。請求項２に記載の遊技機用入力電圧監視回路によれば、出力電圧低下保護機能が働くインバータ回路への入力電圧の第１しきい値電圧よりも高い第２しきい値電圧を設定し、入力電圧が第２しきい値電圧以下になった場合に出力電圧低下保護機能を有する集積回路に対する電源供給を遮断することが可能な回路を提供することで、瞬時停電などにより入力電圧が第１しきい値電圧以下まで低下した後すぐに正常な電圧に復旧したときに、他の回路に影響を与えることなく、出力電圧低下保護機能が働くインバータ回路を正常に復旧することができる。
【手続補正書】
【提出日】平成19年1月22日(2007.1.22)
【手続補正１】
【補正対象書類名】特許請求の範囲
【補正対象項目名】全文
【補正方法】変更
【補正の内容】
【特許請求の範囲】
【請求項１】
遊技機に設けられ遊技機の動作を制御する装置に搭載された１の回路ブロックを駆動制御する集積回路に対して電源電圧を供給する遊技機用入力電圧監視回路であって、
前記集積回路は、前記回路ブロックの出力電圧を監視し、その出力電圧が所定しきい値以下になると前記回路ブロックの駆動制御を停止する出力電圧低下保護機能を有しており、
前記回路ブロックへの入力電圧が低下すると前記回路ブロックの出力電圧も低下し、前記回路ブロックへの入力電圧が第１しきい値電圧以下になると前記出力電圧が前記所定しきい値電圧以下となって前記集積回路は前記出力電圧低下保護機能を作動し、一旦作動した前記出力電圧低下保護機能は前記集積回路への前記電源電圧の供給を遮断しないと解除されないよう構成されており、
前記入力電圧が前記第１しきい値電圧よりも高く設定された第２しきい値電圧以下であるかどうかを検出する監視回路部と、
前記監視回路部により前記入力電圧が前記第２しきい値電圧以上であることが検出されたときは前記集積回路に前記電源電圧を供給し、前記監視回路部により前記入力電圧が前記第２しきい値電圧以下であることが検出されたときは前記集積回路への前記電源電圧の供給を遮断する遮断回路部と、を備え、
前記監視回路部により前記入力電圧が前記第２しきい値電圧以下に低下したことが検出されたときは、前記遮断回路部により前記集積回路への電源電圧の供給を遮断することで前記出力電圧低下保護機能を働かせることなく前記回路ブロックの駆動制御を停止させ、その後、前記監視回路部により前記入力電圧が前記第２しきい値電圧以上に復帰したことが検出されたときは、前記遮断回路部により前記集積回路への電源電圧の供給を再開することで前記出力電圧低下保護機能を働かせることなく前記回路ブロックの駆動制御を再開させることを特徴とする遊技機用入力電圧監視回路。
【請求項２】
前記回路ブロックは、遊技機の液晶表示制御装置を構成する液晶インバータ基板に設けられたインバータ回路である請求項１記載の遊技機用入力電圧監視回路。
【手続補正２】
【補正対象書類名】明細書
【補正対象項目名】０００８
【補正方法】変更
【補正の内容】
【０００８】
請求項１に記載の発明は、遊技機に設けられ遊技機の動作を制御する装置に搭載された１の回路ブロックを駆動制御する集積回路に対して電源電圧を供給する遊技機用入力電圧監視回路であって、前記集積回路は、前記回路ブロックの出力電圧を監視し、その出力電圧が所定しきい値以下になると前記回路ブロックの駆動制御を停止する出力電圧低下保護機能を有しており、前記回路ブロックへの入力電圧が低下すると前記回路ブロックの出力電圧も低下し、前記回路ブロックへの入力電圧が第１しきい値電圧以下になると前記出力電圧が前記所定しきい値電圧以下となって前記集積回路は前記出力電圧低下保護機能を作動し、一旦作動した前記出力電圧低下保護機能は前記集積回路への前記電源電圧の供給を遮断しないと解除されないよう構成されており、前記入力電圧が前記第１しきい値電圧よりも高く設定された第２しきい値電圧以下であるかどうかを検出する監視回路部と、前記監視回路部により前記入力電圧が前記第２しきい値電圧以上であることが検出されたときは前記集積回路に前記電源電圧を供給し、前記監視回路部により前記入力電圧が前記第２しきい値電圧以下であることが検出されたときは前記集積回路への前記電源電圧の供給を遮断する遮断回路部と、を備え、前記監視回路部により前記入力電圧が前記第２しきい値電圧以下に低下したことが検出されたときは、前記遮断回路部により前記集積回路への電源電圧の供給を遮断することで前記出力電圧低下保護機能を働かせることなく前記回路ブロックの駆動制御を停止させ、その後、前記監視回路部により前記入力電圧が前記第２しきい値電圧以上に復帰したことが検出されたときは、前記遮断回路部により前記集積回路への電源電圧の供給を再開することで前記出力電圧低下保護機能を働かせることなく前記回路ブロックの駆動制御を再開させることを特徴とする。請求項１に記載の遊技機用入力電圧監視回路によれば、集積回路の出力電圧低下保護機能が働く入力電圧の第１しきい値電圧よりも高い第２しきい値電圧を設定し、入力電圧が第２しきい値電圧以下になった場合に出力電圧低下保護機能を有する集積回路に対する電源供給を遮断することが可能な回路を提供することで、瞬時停電などにより入力電圧が第１しきい値電圧以下まで低下した後すぐに正常な電圧に復旧したときに、他の回路に影響を与えることなく、出力電圧低下保護機能が働く回路ブロックを正常に復旧することができる。また、監視回路部の第２しきい値電圧のみを変化することで、様々な第１しきい値電圧にて出力電圧低下保護機能が働く他の回路ブロックにも対応することが可能になる。
【手続補正３】
【補正対象書類名】明細書
【補正対象項目名】０００９
【補正方法】変更
【補正の内容】
【０００９】
請求項２に記載の発明は、請求項１に記載の遊技機用入力電圧監視回路において、前記回路ブロックが、遊技機の液晶表示制御装置を構成する液晶インバータ基板に設けられたインバータ回路であることを特徴とする。請求項２に記載の遊技機用入力電圧監視回路によれば、出力電圧低下保護機能が働くインバータ回路への入力電圧の第１しきい値電圧よりも高い第２しきい値電圧を設定し、入力電圧が第２しきい値電圧以下になった場合に出力電圧低下保護機能を有する集積回路に対する電源供給を遮断することが可能な回路を提供することで、瞬時停電などにより入力電圧が第１しきい値電圧以下まで低下した後すぐに正常な電圧に復旧したときに、他の回路に影響を与えることなく、出力電圧低下保護機能が働くインバータ回路を正常に復旧することができる。
【手続補正４】
【補正対象書類名】明細書
【補正対象項目名】００３１
【補正方法】変更
【補正の内容】
【００３１】
入力電圧端子ＤＣＩＮの電圧が第２しきい値電圧であるＤＣ２０Ｖ以上であるときに、冷陰極管５１などの機器の故障によりインバータ回路４２から出力される出力電圧が所定しきい値以下になったことをＩＣ４１が検知すると、ＩＣ４１の出力電圧低下保護機能が働きインバータ回路４２の駆動制御が停止する。このため、液晶インバータ基板４０は完全に停止し、その後、遊技機の大元の電源をＯＦＦするなどしてＩＣ４１をリセットしないと出力電圧低下保護機能は解除されない。例えば、冷陰極管５１の接続不良などにより、実際に出力低下保護機能が働いた場合、冷陰極管５１などの機器の修理が必要となるため、大元の電源をＯＦＦすることになるはずである。なお、入力で電圧端子ＤＣＩＮの電圧が第２しきい値電圧であるＤＣ２０Ｖ以下に低下しているときは、ＩＣ４１への電源電圧の供給が遮断されているため、出力電圧低下保護機能が働くことはない。